(57)【特許請求の範囲】
【請求項１】
覆工板上に固定する基礎部材と、基礎部材に連設する安全ブロックの取り付け部材から構成され、
基礎部材は、
周面に雄ネジ部分を有する所定の長さの棒体と、
棒体の下端部に設けた当接板から成る押え具と、
筒体と筒体の下端部に設けた台座板から成り、覆工板の孔の位置に載置する支持体と、
覆工板の孔から押え具の当接板を覆工板内に挿入し、棒体が覆工板の孔から上方に向けて突出するように押え具を立設させ、覆工板の孔から突出している押え具の棒体に、支持体を貫装するように配置し、支持体を形成する筒体の上方開口部から棒体を突出させた状態で、棒体の雄ネジ部分に螺合するナット部材を備え、
安全ブロックの取り付け部材は、所定の長さの垂設部材と、垂設部材の上端部に連設した横架部材から形成され、垂設部材の下端部分には、基礎部材を形成する支持体の筒体を導入する長孔を有し、横架部材の先端部分には、安全ブロックの取付具を有することを特徴とする安全ブロック取付治具。
【請求項２】
基礎部材に連設した安全ブロックの取り付け部材は、安全ブロックの取付具に安全ブロックを吊り下げたとき、安全ブロックから引き出されているワイヤロープのフックが、作業員の装着している安全ベルトの部分に位置する高さを備えている請求項１に記載の安全ブロック取付治具。
【請求項３】
請求項１または２に記載の安全ブロック取付治具と、安全ブロック取付治具に隣接するように配置する手摺治具からなる安全ブロック取付治具と手摺治具のセットであり、
手摺治具は、覆工板上に固定する基礎部材と、基礎部材に連設する手摺部材から構成され、
基礎部材は、
周面に雄ネジ部分を有する所定の長さの棒体と、
棒体の下端部に設けた当接板から成る押え具と、
筒体と筒体の下端部に設けた台座板から成り、覆工板の孔の位置に載置する支持体と、
覆工板の孔から押え具の当接板を覆工板内に挿入し、棒体が覆工板の孔から上方に向けて突出するように押え具を立設させ、覆工板の孔から突出している押え具の棒体に、支持体を貫装するように配置し、支持体を形成する筒体の上方開口部から棒体を突出させた状態で、棒体の雄ネジ部分に螺合するナット部材を備え、
手摺部材は、所定の長さの垂設部材と、垂設部材に固定したコ字枠部材により全体として長方形となる枠状に形成され、垂設部材の下端部分には、基礎部材を形成する支持体の筒体を導入する長孔を有し、垂設部材のコ字枠部材には、棒状の掴み部材を設けていることを特徴とする安全ブロック取付治具と手摺治具のセット。
【請求項４】
安全ブロック取付治具の基礎部材と、手摺治具の基礎部材を、棒状の補強杆により接続している請求項３に記載の安全ブロック取付治具と手摺治具のセット。
【発明の詳細な説明】
【技術分野】
【０００１】
本発明は、路面において所定の掘削工事を実施している場合に、路面の開口部に設置している覆工板の所定の位置に安全ブロックを取り付けるための、安全ブロック取付治具と、安全ブロック取付治具と手摺治具のセットに関するものである。
【背景技術】
【０００２】
路面において、種々の管路を地中に設置する等の管路工事を実施する場合には、当該路面に掘削工事を行うことが多い。
【０００３】
この掘削工事は、現場に応じて様々な施工を実施するものであるが、一般的には、下記のような施工の工程を段階的に実施するものである。
【０００４】
Ａ.掘削する箇所の舗装を切断する舗装切断工程
Ｂ.舗装を撤去して所定の深さまで掘削する掘削工程
Ｃ.掘削した地中に管路等を設置する管等の布設工程
Ｄ.掘削した部分に土を入れて点圧しながら埋め戻す掘削箇所の埋め戻し工程
Ｅ.路面を舗装する路面復旧工程
【０００５】
そして、比較的に大掛かりで、全体の作業を終了するまでに長期間を要する管路工事の場合、１日の作業の終了時に掘削した路面の開口部に覆工板１００を設置し、路面の開口部１０１を覆工板１００により覆うことで、夜間における交通等に支障が生じないようにしている。
【０００６】
この場合、翌日に工事を再開するときは、図１２に示すように、工事を行う部分の覆工板１００を撤去して、管路工事を継続して実施するのである。
【０００７】
このとき、地中側において作業を実施する作業員Ｓは、図１２に示すように、路面の開口部１０１に梯子１０２を立て掛け、この梯子１０２を介して地中側に降りていた。
【０００８】
しかし、この様な梯子１０２だけを介して作業員Ｓが昇降すると、作業員Ｓが足を滑らせる等して、誤って梯子１０２から落下してしまう危険性がある。その為、作業員Ｓの落下防止対策として、路面の開口部１０１側に、安全ブロック１０３を設置することが望まれている。
【０００９】
この安全ブロック１０３は、作業員Ｓが梯子１０２を介して昇降しているときに、足を滑らせる等して落下しそうになった場合であっても、その落下を阻止して、事故の発生を未然に防止するものである。
【００１０】
一般的な安全ブロック１０３は、例えば、図１３に示すように、ケース本体１０５と、このケース本体１０５内から引き出されているワイヤロープ１０４から構成されている。
【００１１】
ワイヤロープ１０４は、ケース本体１０５内に収容されている所定のドラムに巻回されており、ドラムの回転によるケース本体１０５内からの引き出しと、ケース本体１０５内への引き戻しが自在となっている。
【００１２】
このワイヤロープ１０４の先端部には、作業員Ｓが装着している安全ベルト１１２に掛け止めするフック１０６が取り付けられている。また、ケース本体１０５の上部には、固定リング１０７が取り付けられている。
【００１３】
この安全ブロック１０３は、作業員Ｓが通常の速さで梯子１０２を昇降しているときには、ワイヤロープ１０４がケース本体１０５から自動的に引き出され、また、ケース本体１０５に引き戻されて、作業員Ｓの昇降時にワイヤロープ１０４が邪魔にならないようにしている。
【００１４】
しかし、作業者が何らかの原因により梯子１０２から落下して、ワイヤロープ１０４がケース本体１０５から勢い良く引き出されるような事態が生じると、ケース本体１０５は、例えば、ワイヤロープ１０４が約２５ｃｍ程度引き出された時点でワイヤロープ１０４の送り出しを停止して、作業員Ｓのそれ以上の落下を阻止するように作動するのである。
【００１５】
この様に、安全ブロック１０３は、梯子１０２を介した昇降時における作業員Ｓの安全を確保するための手段として必要不可欠のものであるが、例えば、図１２に示すように、掘削している路面から覆工板１００を一部撤去して開口部１０１が露出している状況においては、安全ブロック１０３を開口部１０１の上方に吊り下げるようにして設置するのに好ましい場所が存在していない。
【００１６】
そのため、作業現場においては、例えば、図１４に示すように、路面の開口部１０１の周囲に柵を設ける措置が採られている。
【００１７】
この柵は、例えば、路面の開口部１０１の周囲に複数の立設柱１０８を固定し、所定のクランプ１０９を介して、各立設柱１０８間に横架材１１０を取り付けて形成されている。横架材１１０は、例えば、所定の間隔を開けて上下の２段に配置されている。
【００１８】
そして、上側の横架材１１０に梯子１０２の上端部分を立て掛けて、所定のベルト部材１１１を用いて、梯子１０２を上側の横架材１１０に固定している。この様な状況において、例えば、図１５に示すように、梯子１０２の近傍に位置している上側の横架材１１０に安全ブロック１０３の固定リング１０７を掛け止めして、安全ブロック１０３を横架材１１０に吊り下げるようにして設置しているのである。
【００１９】
作業員Ｓは、梯子１０２を昇降するとき、図１５に示すように、安全ブロック１０３からワイヤロープ１０４を引き出し、自らが装着している安全ベルト１１２にフック１０６を掛け止めして、自身の安全を確保しているのである。
【００２０】
この他、図１６に示すように、ＰＣ床板２００上に親綱２０３を配置し、この親綱２０３に安全帯を取り付ける手法が存在している。具体的には、ＰＣ床板２００上に、ボルト部材２０１を利用して複数の柱体２０２を固定し、各柱体２０２の上端部に親綱２０３を結び付けて、この親綱２０３に安全帯を取り付けるのである。
【先行技術文献】
【特許文献】
【００２１】
【特許文献１】特開平１０−７２９３９号公報
【発明の概要】
【発明が解決しようとする課題】
【００２２】
しかしながら、図１５に示す従来の安全ブロック１０３の設置手法においては、以下のような弊害が生じている。
【００２３】
従来の安全ブロック１０３の設置手法は、柵を形成する部材である上側の横架材１１０に安全ブロック１０３の固定リング１０７を掛け止めすることから、作業員Ｓが梯子１０２側に移動するときに、柵を形成する横架材１１０が邪魔になってしまう。
【００２４】
その為、作業員Ｓは足を上げて上側の横架材１１０を跨いだり、また、体を屈めて上下の２段に配置されている横架材１１０の間を潜るしかなく、不自然な体勢を強いられることから、作業員Ｓが疲労してしまう要因となっていた。
【００２５】
また、柵の内側が路面の開口部１０１となっているため、作業員Ｓが不自然な体勢を強いられた状態で柵の内側に位置している梯子１０２を手で掴んだり、足を掛けるときに、誤って落下してしまう危険性がある。
【００２６】
さらに、梯子１０２を昇ってきた作業員Ｓが柵の外側（覆工板側）に降りるときも、作業員Ｓは梯子１０２に手や足を掛けている不安定な状態にありながら足を上げて上側の横架材１１０を跨いだり、また、体を屈めて横架材１１０の間を潜らなければならないため、作業員Ｓの疲労が増していた。
【００２７】
加えて、作業員Ｓが梯子１０２側に移動するとき、また、作業員Ｓが梯子１０２から離れるときに慎重な動作を要求されるため、全体の作業時間も長くなっていた。
【００２８】
一方、図１６に示すＰＣ床板２００上に親綱２０３を配置し、この親綱２０３に安全帯を取り付ける手法においては、この手法を路面を掘削した開口部１０１に採用すると、親綱２０３が路面の開口部１０１を塞ぐこととなるため、作業員Ｓが梯子１０２側へ移動するとき等に障害となってしまう。
【００２９】
また、作業員Ｓが誤って落下したときに、作業員Ｓの体重をしっかりと支えてその落下を阻止するような大きな荷重に耐えられるような構成をそもそも備えていないため、梯子１０２を介した昇降時における作業員Ｓの安全を確保する手段としての安全ブロック１０３を設置する対象に成り得ないものである。
【００３０】
そこで、本発明は如上のような従来存した諸事情に鑑み創出されたもので、路面の開口部に設置している覆工板の所定の位置に安全ブロックを簡単且つ確実に取り付けて、梯子を介した昇降時における作業員の安全を確保すると共に、作業員が開口部側に位置しているに梯子側に移動するとき、また、作業員が梯子から離れるときに、無理な体勢を強いることのない、安全ブロック取付治具と、安全ブロック取付治具と手摺治具のセットを提供することを目的とする。
【課題を解決するための手段】
【００３１】
本発明に係る安全ブロック取付治具は、覆工板上に固定する基礎部材と、基礎部材に連設する安全ブロックの取り付け部材から構成され、基礎部材は、周面に雄ネジ部分を有する所定の長さの棒体と、棒体の下端部に設けた当接板から成る押え具と、筒体と筒体の下端部に設けた台座板から成り、覆工板の孔の位置に載置する支持体と、覆工板の孔から押え具の当接板を覆工板内に挿入し、棒体が覆工板の孔から上方に向けて突出するように押え具を立設させ、覆工板の孔から突出している押え具の棒体に、支持体を貫装するように配置し、支持体を形成する筒体の上方開口部から棒体を突出させた状態で、棒体の雄ネジ部分に螺合するナット部材を備え、安全ブロックの取り付け部材は、所定の長さの垂設部材と、垂設部材の上端部に連設した横架部材から形成され、垂設部材の下端部分には、基礎部材を形成する支持体の筒体を導入する長孔を有し、横架部材の先端部分には、安全ブロックの取付具を有することで、上述した課題を解決した。
【００３３】
さらに、基礎部材に連設した安全ブロックの取り付け部材は、安全ブロックの取付具に安全ブロックを吊り下げたとき、安全ブロックから引き出されているワイヤロープのフックが、作業員の装着している安全ベルトの部分に位置する高さを備えていることで、同じく上述した課題を解決した。
【００３４】
この他、本発明に係る安全ブロック取付治具と手摺治具のセットは、安全ブロック取付治具と、安全ブロック取付治具に隣接するように配置する手摺治具からなり、手摺治具は、覆工板上に固定する基礎部材と、基礎部材に連設する手摺部材から構成され、基礎部材は、周面に雄ネジ部分を有する所定の長さの棒体と、棒体の下端部に設けた当接板から成る押え具と、筒体と筒体の下端部に設けた台座板から成り、覆工板の孔の位置に載置する支持体と、覆工板の孔から押え具の当接板を覆工板内に挿入し、棒体が覆工板の孔から上方に向けて突出するように押え具を立設させ、覆工板の孔から突出している押え具の棒体に、支持体を貫装するように配置し、支持体を形成する筒体の上方開口部から棒体を突出させた状態で、棒体の雄ネジ部分に螺合するナット部材を備え、手摺部材は、所定の長さの垂設部材と、垂設部材に固定したコ字枠部材により全体として長方形となる枠状に形成され、垂設部材の下端部分には、基礎部材を形成する支持体の筒体を導入する長孔を有し、垂設部材のコ字枠部材には、棒状の掴み部材を設けていることで、同じく上述した課題を解決した。
【００３６】
さらに、安全ブロック取付治具の基礎部材と、手摺治具の基礎部材を、棒状の補強杆により接続していることで、同じく上述した課題を解決した。
【発明の効果】
【００３７】
本発明に係る安全ブロック取付治具は、覆工板上に固定する基礎部材と、基礎部材に連設する安全ブロックの取り付け部材から構成されていることから、路面の開口部に設置されている覆工板において、安全ブロックを好ましい状態で取り付けることができる。
【００３８】
具体的には、基礎部材は、周面に雄ネジ部分を有する所定の長さの棒体と、棒体の下端部に設けた当接板から成る押え具と、筒体と筒体の下端部に設けた台座板から成り、覆工板の孔の位置に載置する支持体と、覆工板の孔から押え具の当接板を覆工板内に挿入し、棒体が覆工板の孔から上方に向けて突出するように押え具を立設させ、覆工板の孔から突出している押え具の棒体に、支持体を貫装するように配置し、支持体を形成する筒体の上方開口部から棒体を突出させた状態で、棒体の雄ネジ部分に螺合するナット部材を備えていることから、覆工板の孔を利用して、支持体と押え具により覆工板の孔が設けられている板材を挟み込むようにして、基礎部材を覆工板に確実に固定できる。
【００３９】
また、安全ブロックの取り付け部材は、所定の長さの垂設部材と、垂設部材の上端部に連設した横架部材から形成され、垂設部材の下端部分には、基礎部材を形成する支持体の筒体を導入する長孔を有することから、覆工板に固定されている基礎部材を形成しているナット部材と、支持体の筒体に垂設部材の下端部分を当がい、長孔内にナット部材と、支持体の筒体を導入して、基礎部材に安全ブロックの取り付け部材を取り付けることができる。
【００４０】
さらに、基礎部材に連設した安全ブロックの取り付け部材は、安全ブロックの取付具に安全ブロックを吊り下げたとき、安全ブロックから引き出されているワイヤロープのフックが、作業員の装着している安全ベルトの部分に位置する高さを備えていることから、作業員が覆工板の上に立っている状態で、安全ブロックのフックを安全ベルトに簡単に掛け止めすることができる。
【００４１】
この様に、本発明に係る安全ブロック取付治具によれば、従来のように路面の開口部全体を全て取り囲む柵を形成する必要が無いため、開口部に立て掛けている梯子の近傍を開放して、所謂作業員の出入り口を形成することが可能となる。このとき、梯子自体も、従来のように柵を形成する横架材に立て掛けていないことから、路面の開口部から上方に向けて長く突出させる必要が無く、梯子の上端部自体を開口部の近傍に固定することができる。
【００４２】
そして、この出入り口においては、柵を形成する横架材のような障害物が存在していないため、作業員が梯子側に移動するとき、作業員は足を上げて障害物を跨いだり、また、体を屈めて障害物を避けるような不自然な体勢を強いられることがなく、作業員の疲労を軽減することができる。また、作業員は、梯子側に迅速に移動することができる。
【００４３】
さらに、作業員が障害物を避けるような不自然な体勢を強いられることがないので、開口部に固定されている梯子に確実に足を掛け、また、梯子を確実に手で掴むことができ、誤って落下してしまう危険性を排除している。
【００４４】
また、梯子を昇ってきた作業員が柵の外側（覆工板側）に降りるときも、障害物を避けるような不自然な体勢を強いられることがなく、そのまま梯子から迅速に離れることができる。
【００４５】
この様に、本発明によれば、安全ブロックにより自身の安全を確保した上で、作業員は梯子側に迅速に移動することができ、また、梯子から迅速に離れることもできる。
【００４６】
加えて、安全ブロック取付治具を覆工板に固定することから、路面を掘削した開口部を必要以上に塞ぐことがない。また、安全ブロック取付治具を覆工板にしっかりと固定することから、作業員が誤って落下したときに、安全ブロックにより作業員の体重をしっかりと支えてその落下を阻止することにより、梯子を介した昇降時における作業員の安全を確保することができる。
【００４７】
この他、安全ブロック取付治具と、安全ブロック取付治具に隣接するように配置する手摺治具からなる安全ブロック取付治具と手摺治具のセットにおいては、例えば、梯子を昇ってきた作業員は、安全ブロック取付治具を右手で掴み、手摺治具を左手で掴んで、安定した状態で梯子から降りることができる。
【００４８】
同様に、作業員が梯子側に移動するときも、安全ブロックにより自身の安全を確保した上で、開口部側に背を向けた後ろ向きになり、安全ブロック取付治具を右手で掴み、同時に手摺治具を左手で掴んで、安定した状態で梯子に足を掛け、その後、梯子を手で掴んで梯子側に迅速に移動できると共に、作業員が誤って落下してしまう危険性を排除している。
【００４９】
また、手摺治具は、覆工板上に固定する基礎部材と、基礎部材に連設する手摺部材から構成されていることから、路面の開口部に設置されている覆工板において、手摺治具を確実に取り付けることができる。
【００５０】
具体的には、基礎部材は、周面に雄ネジ部分を有する所定の長さの棒体と、棒体の下端部に設けた当接板から成る押え具と、筒体と筒体の下端部に設けた台座板から成り、覆工板の孔の位置に載置する支持体と、覆工板の孔から押え具の当接板を覆工板内に挿入し、棒体が覆工板の孔から上方に向けて突出するように押え具を立設させ、覆工板の孔から突出している押え具の棒体に、支持体を貫装するように配置し、支持体を形成する筒体の上方開口部から棒体を突出させた状態で、棒体の雄ネジ部分に螺合するナット部材を備えていることから、覆工板の孔を利用して、支持体と押え具により覆工板の孔が設けられている板材を挟み込むようにして、基礎部材を覆工板に確実に固定できる。
【００５１】
さらに、手摺部材は、所定の長さの垂設部材と、垂設部材に固定したコ字枠部材により全体として長方形となる枠状に形成され、垂設部材の下端部分には、基礎部材を形成する支持体の筒体を導入する長孔を有することから、覆工板に固定されている基礎部材を形成しているナット部材と、支持体の筒体に垂設部材の下端部分を当がい、長孔内にナット部材と、支持体の筒体を導入して、基礎部材に手摺部材を取り付けることができる。
【００５２】
また、垂設部材のコ字枠部材には、棒状の掴み部材を設けていることから、例えば、梯子を昇ってきた作業員は、安全ブロック取付治具を右手で掴み、手摺治具の掴み部材を左手で掴んで、安定した状態で梯子から降りることができる。
【００５３】
同様に、梯子側に移動するときも、安全ブロックにより自身の安全を確保した上で、開口部側に背を向けた後ろ向きになり、安全ブロック取付治具を右手で掴み、同時に手摺治具の掴み部材を左手で掴んで、安定した状態で梯子に足を掛け、その後、梯子を手で掴むことができる為、梯子側に迅速に移動できると共に、作業員が誤って落下してしまう危険性を排除している。
【００５４】
加えて、安全ブロック取付治具の基礎部材と、手摺治具の基礎部材を、棒状の補強杆により接続していることから、覆工板上に配置している安全ブロック取付治具と手摺治具の固定状態を堅牢に維持することができる。
【００５５】
また、この補強杆に梯子の上端部分を固定することにより、梯子が倒れてしまうような事態の発生を確実に防止できる。さらに、梯子の上方部分を開放して、所謂作業員の出入り口を形成することが可能となり、作業員の覆工板側から梯子側への迅速な移動と、梯子側から覆工板側への迅速な移動を実現している。
【図面の簡単な説明】
【００５６】
【図１】安全ブロック取付治具と、手摺治具の使用状態を示す斜視図である。
【図２】安全ブロック取付治具の構成を示すもので、（ａ）は覆工板の孔への押え具の取り付け状態を示す断面図、（ｂ）は安全ブロック取付治具の全体構成を示す分解斜視図である。
【図３】覆工板の孔への押え具の取り付け状態を示すもので、（ａ）は押え具を傾けて当接板を覆工板の孔に挿入する状態を示す斜視図、（ｂ）は押え具の当接板を覆工板の孔に挿入した状態を示す斜視図、（ｃ）は棒体が覆工板の孔から上方に向けて突出するように押え具を立設させた状態を示す斜視図である。
【図４】安全ブロック取付治具の、覆工板への取り付け状態を示す斜視図である。
【図５】安全ブロック取付治具の、覆工板への取り付け状態を示す断面図である。
【図６】手摺治具の、覆工板への取り付け状態を示す分解斜視図である。
【図７】手摺治具の、覆工板への取り付け状態を示す斜視図である。
【図８】路面の開口部に設置している覆工板に、安全ブロック取付治具と手摺治具を取り付けている状態を示す斜視図である。
【図９】安全ブロック取付治具の基礎部材と、手摺治具の基礎部材を、補強杆により接続している状態を示す斜視図である。
【図１０】安全ブロック取付治具の基礎部材と手摺治具の基礎部材を接続している補強杆に、梯子の上端部を立て掛けている状態を示す斜視図である。
【図１１】安全ブロック取付治具を、単独で使用している状態を示す斜視図である。
【図１２】路面の開口部に、梯子を立て掛けている状態を示す斜視図である。
【図１３】安全ブロックの構成を示す斜視図である。
【図１４】路面の開口部の周囲に柵を設け、この柵に梯子を立て掛けている状態を示す斜視図である。
【図１５】路面の開口部の周囲に柵を設け、この柵に安全ブロックを取り付けて、作業員が梯子を昇降している状態を示す斜視図である。
【図１６】ＰＣ床板上に複数の柱体を固定し、各柱体の上端部に親綱を結び付け、この親綱に安全帯を取り付ける手法を示す側面図である。
【発明を実施するための形態】
【００５７】
以下に、本発明を実施するための形態を、図面を参照して詳細に説明する。
【００５８】
本発明は、図２・図４に示すように、覆工板１００の孔１２０を介して覆工板１００上に固定する基礎部材２０と、基礎部材２０に連設する安全ブロック１０３の取り付け部材４から構成される安全ブロック取付治具１である。
【００５９】
覆工板１００上に固定する基礎部材２０は、図２（ａ）（ｂ）に示すように、構成要素の一部が覆工板１００内に収容される押え具３０と、覆工板１００の上面側に配置される支持体２１と、押え具３０と支持体２１を接続するナット部材４０により形成されている。
【００６０】
構成要素の一部が覆工板１００内に収容される押え具３０は、図２（ａ）に示すように、周面に雄ネジ３２を有する所定の長さの棒体３１と、棒体３１の下端部に設けた当接板３３から形成されている。
【００６１】
棒体３１は、覆工板１００の孔１２０を設けている板材の厚みと、支持体２１の高さを合わせた距離よりも長くなるように形成されている。また、棒体３１の下端部分を除いた略全周面に、雄ネジ部分３２を設けている。
【００６２】
さらに、当接板３３は、所定の長さの細板状に形成され、棒体３１に対して９０度の角度を維持するように固定されている。また、棒体３１の下端部に位置する当接板３３は、棒体３１を境にして一方側が横方向に長く突出し、他方側が横方向に短く突出するように棒体３１に固定されている。
【００６３】
この押え具３０は、図３（ａ）（ｂ）に示すように、押え具３０を傾けて、当接板３３を覆工板１００の孔１２０に挿入する。そして、図２（ａ）・図３（ｃ）に示すように、当接板３３を覆工板１００内に収容した状態で、棒体３１が覆工板１００の孔１２０から上方に向けて突出するように、押え具３０を立設させる。
【００６４】
尚、押え具３０の最終的な固定状態においては、図２（ａ）に示すように、当接板３３の長く突出している部分と、短く突出している部分が、覆工板１００の孔１２０を設けている板材の内側面に当接した状態となる。
【００６５】
基礎部材２０を構成する支持体２１は、図２（ｂ）に示すように、覆工板１００の上面側の孔１２０の位置に配置するものである。この支持体２１は、所定の長さの筒体２２と、筒体２２の下端部に設けた台座板２３から形成されている。
【００６６】
支持体２１の筒体２２は、内部に長孔を有する円筒状に形成されている。また、台座板２３は、筒体２２の立設した状態を維持するもので、四角形の板状に形成されている。
【００６７】
基礎部材２０を構成するナット部材４０は、支持体２１の筒体２２の上端部に配置される。このナット部材４０は、図２（ｂ）・図４に示すように、覆工板１００の孔１２０から突出している押え具３０の棒体３１に、支持体２１を形成する筒体２２を貫装するように配置し、支持体２１の筒体２２の上方開口部から棒体を３１突出させた状態で、この棒体３１の雄ネジ部分３２に螺合するものである。
【００６８】
そして、スパナ等の工具を用いてナット部材４０を回転させ、押え具３０の棒体３１を、上方に向けて強制的に引き上げる。このとき、図４・図５に示すように、支持体２０の台座板２３と押え具３０の当接板３３により、覆工板１００の孔１２０を設けている板材が挟み込まれている。
【００６９】
この状態で、スパナ等の工具を用いてナット部材４０をさらに回転させ、押え具３０の棒体３１を上方に向けてさらに引き上げると、覆工板１００の孔１２０を設けている板材を挟み込んでいる支持体２０の台座板２３と押え具３０の当接板３３が、孔１２０を設けている板材に強く当たって、基礎部材２０が覆工板１００にしっかりと固定されるのである。このとき、図５に示すように、支持体２０の筒体２２から、押え具３０の棒体３１が、所定の長さで突出した状態となっている。
【００７０】
基礎部材２０に連設する安全ブロック１０３の取り付け部材４は、図２（ｂ）に示すように、所定の長さの垂設部材２と、垂設部材２の上端部に連設した、垂設部材２よりも短尺な横架部材３から形成されている。
【００７１】
横架部材３は、垂設部材２に対して９０度の角度を維持するように固定されている。また、横架部材３の先端部分には、安全ブロック１０３の取付具５を有している。この取付具５は、図４に示すように、リング部分と、このリング部分に固定した雄ネジ棒部分６により形成されている。
【００７２】
そして、横架部材３の先端部分に設けた所定の孔に雄ネジ棒部分６を下側から挿入し、雄ネジ棒部分６の先端を横架部材３の上部から突出させた状態で、ナット部材7を螺合させて横架部材３に取付具５を固定している。
【００７３】
この取付具５に、安全ブロック１０３の固定リング１０７を掛け止めしたとき、安全ブロック１０３の取り付け部材４は、図８に示すように、片持ち梁形式により安全ブロック１０３を吊り下げて設置することとなる。
【００７４】
この他、安全ブロック１０３の取り付け部材４を形成する垂設部材２の周面には、Ｕ字状に形成された複数のフック８が固定されている。
【００７５】
また、垂設部材２の下端部分には、図２（ｂ）に示すように、基礎部材２０を形成する支持体２１の筒体２２と、ナット部材４０を導入する長孔９を有している。
【００７６】
この長孔６１は、図５に示すように、垂設部材２の全体を筒状に形成し、垂設部材２の下部分における筒状の内周部を長孔９として利用している。
【００７７】
そして、図４・図５に示すように、基礎部材２０を形成しているナット部材４０と、支持体２１の筒体２２に垂設部材２の下端部分を当がい、長孔９内にナット部材４０と、支持体２１の筒体２２を導入して、基礎部材２０に安全ブロック１０３の取り付け部材４を取り付けるのである。
【００７８】
また、図２（ｂ）に示すように、垂設部材２の下部分には、２個のネジ孔１１を設けている。そして、図４・図５に示すように、垂設部材２の長孔９内に支持体２１の筒体２２を導入した状態において、垂設部材２のネジ孔１１にボルト１２をねじ込んで、ボルト１２の先端を筒体２２に当接させることにより、基礎部材２０である支持体２１の筒体２２に、垂設部材２を確実に固定するのである。
【００７９】
さらに、基礎部材２０に連設した安全ブロック１０３の取り付け部材４は、横架部材３の先端部分に設けられた安全ブロック１０３の取付具５に安全ブロック１０３を吊り下げたとき、安全ブロック１０３から引き出されているワイヤロープ１０４のフック１０５が、作業員Ｓの装着している安全ベルト１１２の部分に位置する高さを備えていることから、作業員Ｓが覆工板１００の上に立っている状態で、安全ブロック１０３のフック１０５を安全ベルト１１２に簡単に掛け止めすることができる。
【００８０】
この様にして構成された安全ブロック取付治具１は、例えば、図１１に示すように、単体で使用することも可能であるが、図１・図９に示すように、覆工板１００に固定している安全ブロック取付治具１に隣接するようにして、覆工板１００に手摺治具７０を配置して、安全ブロック取付治具１と手摺治具７０のセットで使用すると、より好ましいものとなる。
【００８１】
安全ブロック取付治具１用の手摺治具７０は、図６・図７に示すように、覆工板１００の孔１２０を介して覆工板１００上に固定する基礎部材２０と、基礎部材２０に連設する手摺部材５０から構成されている。
【００８２】
尚、手摺治具７０の基礎部材２０の構成は、前記した安全ブロック取付治具１の基礎部材２０の構成と同一であることから、両者に同一の符号を付すことにより、その説明を省略する。
【００８３】
基礎部材２０に連設する手摺部材５０は、図６・図７に示すように、所定の長さの垂設部材５１と、垂設部材５１に固定したコ字枠部材により全体として長方形となる枠状に形成されている。
【００８４】
コ字枠部材は、垂設部材５１の上端部及び下部分から側方に延設された横架部材５２と、横架部材５２の端部同士を連設する縦部材５３により形成されている。また、垂設部材５１のコ字枠部材には、棒状の掴み部材５４を設けている。
【００８５】
この掴み部材５４は、図６・図７に示すように、所定の長さを有する傾斜部材５５を備え、その下端部において、側方に延設された横架部材５６を有している。この横架部材５６の先端部には、上方に向けて折曲した設続片５７を設けている。また、傾斜部材５５は、その上端部において、側方に延設された短尺な横架部材５８を有している。この横架部材５８の先端部には、下方に向けて折曲した設続片５９を設けている。
【００８６】
そして、掴み部材５４の設続片５７・５９をコ字枠部材の縦部材５３に固定して、垂設部材５１に掴み部材５４を取り付けている。
【００８７】
また、垂設部材５１の縦部材５３には、所定のリング部材６０が取り付けられている。
【００８８】
さらに、手摺部材５０を構成する垂設部材５１の下端部分には、図６に示すように、基礎部材２０を形成する支持体２１の筒体２２と、ナット部材４０を導入する長孔６１を有している。
【００８９】
この長孔６１は、垂設部材５１の全体を筒状に形成し、垂設部材５１の下部分における筒状の内周部を長孔６１として利用している。
【００９０】
そして、図６・図７に示すように、基礎部材２０を形成しているナット部材４０と、支持体２１の筒体２２に垂設部材５１の下端部分を当がい、長孔６１内にナット部材４０と、支持体２１の筒体２２を導入して、基礎部材２０に手摺部材５０を取り付けるのである。
【００９１】
また、図６に示すように、垂設部材５１の下部分には、２個のネジ孔１１を設けている。そして、図７に示すように、垂設部材５１の長孔６１内に支持体２１の筒体２２を導入した状態において、垂設部材５１のネジ孔１１にボルト１２をねじ込んで、ボルト１２の先端を筒体２２に当接させることにより、基礎部材２０である支持体２１の筒体２２に、垂設部材５１を確実に固定するのである。
【００９２】
この他、図９に示すように、安全ブロック取付治具１の基礎部材２０と、手摺治具７０の基礎部材２０を、棒状の補強杆８０により接続している。
【００９３】
この補強杆８０は、その両端部が所定のクランプ１０９を介して両基礎部材２０に固定されて、安全ブロック取付治具１の基礎部材２０と、手摺治具７０の基礎部材２０を強固に接続している。
【００９４】
以下に、路面の開口部１０１に設置している覆工板１００に、安全ブロック取付治具１と、手摺治具７０を組み付ける手順を説明する。
【００９５】
まず、路面の開口部１０１に設置している覆工板１００の孔１２０を利用して、２組の基礎部材２０を、所定の間隔を開けて覆工板１００に取り付ける（図４・図７参照）。
【００９６】
次に、図８に示すように、一方の基礎部材２０に安全ブロック１０３の取り付け部材４を連設し、他方の基礎部材２０に手摺部材５０を連設する。このとき、安全ブロック１０３の取り付け部材４の横架部材３と、手摺部材５０の上方に位置する横架部材５２が、互いに内側を向いて向かい合うようにする。
【００９７】
そして、取り付け部材４の横架部材３に、安全ブロック１０３を吊り下げるようにして取り付ける。
【００９８】
次に、図９に示すように、安全ブロック取付治具１の基礎部材２０と、手摺治具７０の基礎部材２０を、棒状の補強杆８０により接続する。
【００９９】
次に、図１０に示すように、補強杆８０に梯子１０２の上端部分を立て掛けて、ベルト等を用いて補強杆８０に梯子１０２を固定する。
【０１００】
この様な作業に付随して、路面の開口部１０１の周囲に複数の立設柱１０８を固定し、所定のクランプ１０９を介して、各立設柱１０８間に横架材１１０を取り付けて全体の柵を形成する。
【０１０１】
そして、図１に示すように、横架材１１０の端部を、所定のクランプ１０９を介して、安全ブロック１０３の取り付け部材４に固定する。また、他の横架材１１０の端部を、所定のクランプ１０９を介して、手摺治具７０の手摺部材５０に固定する。
【０１０２】
この様にして、図１に示すように、補強杆８０に立て掛けている梯子１０２の近傍を開放して、所謂作業員Ｓの出入り口を形成することとなる。
【０１０３】
そして、作業員Ｓが梯子１０２側に移動するときは、図１に示すように、安全ブロック１０３のフック１０６を自らが装着している安全ベルト１１２に掛け止めして、自身の安全を確保した上で、開口部１０２側に背を向けた後ろ向きになり、安全ブロック取付治具１を右手で掴み、同時に手摺治具７０を左手で掴んで、体を支えた安定した状態で梯子１０２に足を掛け、その後、梯子１０２を手で掴むことができ、梯子１０２側に迅速に移動できる。
【０１０４】
また、梯子１０２を昇ってきた作業員Ｓが覆工板１００側に降りるときも、安全ブロック取付治具１を右手で掴み、同時に手摺治具７０を左手で掴んで、体を引き上げるようにして、歩くような状態で梯子１０２から迅速に降りることができる。
【産業上の利用可能性】
【０１０５】
本発明に係る覆工板用の安全ブロック取付治具と、安全ブロック取付治具と手摺治具のセットは、様々な路面の開口部において、安全ブロックにより自身の安全を確保した上で、作業員が迅速に梯子側に移動し、また、迅速に梯子から離れることができるものとして、幅広く利用することができる。
【符号の説明】
【０１０６】
Ｓ…作業員
１…安全ブロック取付治具
２…垂設部材
３…横架部材
４…安全ブロックの取り付け部材
５…取付具
６…雄ネジ棒部分
７…ナット部材
８…フック
９…長孔
１１…ネジ孔
１２…ボルト
２０…基礎部材
２１…支持体
２２…筒体
２３…台座板
３０…押え具
３１…棒体
３２…雄ネジ
３３…当接板
４０…ナット部材
５０…手摺部材
５１…垂設部材
５２…横架部材
５３…縦部材
５４…掴み部材
５５…傾斜部材
５６…横架部材
５７…設続片
５８…横架部材
５９…設続片
６０…リング部材
６１…長孔
７０…手摺治具
８０…補強杆
１００…覆工板
１０１…開口部
１０２…梯子
１０３…安全ブロック
１０４…ワイヤロープ
１０５…ケース本体
１０６…フック
１０７…固定リング
１０８…立設柱
１０９…クランプ
１１０…横架材
１１１…ベルト部材
１１２…安全ベルト
１２０…孔
２００…ＰＣ床板
２０１…ボルト部材
２０２…柱体
２０３…親綱
【図１】
0005483098.tif 000002
【図２】
0005483098.tif 000003
【図３】
0005483098.tif 000004
【図４】
0005483098.tif 000005
【図５】
0005483098.tif 000006
【図６】
0005483098.tif 000007
【図７】
0005483098.tif 000008
【図８】
0005483098.tif 000009
【図９】
0005483098.tif 000010
【図１０】
0005483098.tif 000011
【図１１】
0005483098.tif 000012
【図１２】
0005483098.tif 000013
【図１３】
0005483098.tif 000014
【図１４】
0005483098.tif 000015
【図１５】
0005483098.tif 000016
【図１６】
0005483098.tif 000017